【手続補正書】
【提出日】平成27年6月23日(2015.6.23)
【手続補正１】
【補正対象書類名】特許請求の範囲
【補正対象項目名】全文
【補正方法】変更
【補正の内容】
【特許請求の範囲】
【請求項１】
注入システムであって、
注射器筐体を備える注入デバイスと、
前記注入デバイスに取り付けられた注射器であって、前記注入デバイスは、前記注射器から流体を放出するように動作可能であり、前記注射器は、注射筒を備え、前記注射筒は、注射筒縦軸に沿って注射筒長さを有し、前記注射器筐体は、前記注射筒に沿って延在している、注射器と、
前記注射筒に沿って配置された容量流体検出器であって、前記容量流体検出器は、前記注射器筐体が前記容量流体検出器と前記注射器との間に配置されているように、前記注射器筐体内に封入され、前記容量流体検出器は、複数の第１のコンデンサを備え、前記複数の第１のコンデンサは、前記注射筒長さに沿って連続的に配列され、前記複数の第１のコンデンサの各々は、前記注射筒縦軸に沿った異なる位置に配置されている、容量流体検出器と、
前記注射筒と同一の広がりをもつ注射筒ゾーンであって、前記注射筒ゾーンは、前記注射筒長さと一致する注射筒ゾーン長さを備え、前記注射筒ゾーンは、前記注射筒縦軸と一致する注射筒ゾーン縦軸を備えている、注射筒ゾーンと
を備えている、注入システム。
【請求項２】
前記容量流体検出器の出力は、前記注射器内の流体の体積についての情報を提供する、請求項１に記載の注入システム。
【請求項３】
前記注射筒ゾーン長さに沿って連続的に配列された前記複数の第１のコンデンサは、少なくとも８個の個々の第１のコンデンサを備えている、請求項１および２のいずれかに記載の注入システム。
【請求項４】
前記複数の第１のコンデンサの各々は、一対の電極を備え、各対の電極のうちの各電極は、前記電極に垂直であり、かつそれと交差するベクトルが、いかなる他の電極とも交差しないように配列されている、請求項１〜３のいずれかに記載の注入システム。
【請求項５】
前記対の電極の各々は、２つの実質的に同一平面上の電極を備えている、請求項４に記載の注入システム。
【請求項６】
前記複数の第１のコンデンサの各々は、集積回路に相互接続され、前記複数の第１のコンデンサの各々について、前記集積回路は、バイモーダル出力を生じるように動作可能であり、前記バイモーダル出力の第１のモードは、流体の存在に応答し、前記バイモーダル出力の第２のモードは、流体がないことに応答する、請求項１〜５のいずれかに記載の注入システム。
【請求項７】
前記複数の第１のコンデンサの各々は、前記第１のコンデンサの電界内の流体の量に応答して変化するアナログ出力を生じるように動作可能である、請求項１〜６のいずれかに記載の注入システム。
【請求項８】
前記複数の第１のコンデンサからの出力に少なくとも部分的に基づいて、前記注射筒ゾーン内の流体のレベルを決定するように動作可能である流体レベル決定論理をさらに備えている、請求項１〜７のいずれかに記載の注入システム。
【請求項９】
前記容量流体検出器の電界は、前記注射筒ゾーン縦軸に沿った少なくとも第１の位置および第２の位置で前記注射筒ゾーンに浸透し、前記第１の位置は、第１の距離だけ前記第２の位置から分離され、前記第１の距離は、前記注射筒ゾーン長さの少なくとも半分に等しい、請求項１〜８のいずれかに記載の注入システム。
【請求項１０】
前記複数の第１のコンデンサは、２つの前記第１のコンデンサのみを含み、一方の前記第１のコンデンサは、前記第１の位置に関連付けられ、他方の前記第１のコンデンサは、前記第２の位置に関連付けられている、請求項９に記載の注入システム。
【請求項１１】
前記容量流体検出器の出力は、前記注射器が第１の注射器タイプであるか、または前記注射器が第２の注射器タイプであるかを検出するために使用される、請求項１０に記載の注入システム。
【請求項１２】
前記注射筒長さに沿って連続的に配列されている複数のコンデンサグループをさらに備え、前記複数のコンデンサグループの各々は、前記注射筒縦軸に沿った異なる位置に配置され、前記複数のコンデンサグループの各々は、前記注射筒縦軸に沿った共通位置に配置されている複数のコンデンサを備え、各々の前記コンデンサグループは、前記複数の第１のコンデンサの前記第１のコンデンサのうちの１つを含む、請求項１〜１１のいずれかに記載の注入システム。
【請求項１３】
前記複数のコンデンサの各コンデンサは、前記注射器の輪郭に従うように成形されている支持体上に取り付けられている、請求項１２に記載の注入システム。
【請求項１４】
前記容量流体検出器からの出力に少なくとも部分的に基づいて、ユーザ入力を決定するように動作可能であるユーザ入力決定論理をさらに備えている、請求項１〜１３のいずれかに記載の注入システム。
【請求項１５】
容量ユーザ入力検出器をさらに備え、前記容量ユーザ入力検出器の電界は、前記注射筒ゾーンに沿って延在している第１の領域内において前記注射筒ゾーンに浸透する、請求項１〜１３のいずれかに記載の注入システム。
【請求項１６】
前記容量ユーザ入力検出器の電界は、前記注射筒ゾーンに沿って延在している第２の領域内において前記注射筒ゾーンに浸透し、前記第２の領域は、前記第１の領域から前記注射筒ゾーンの反対側にある、請求項１５に記載の注入システム。
【請求項１７】
前記容量ユーザ入力検出器からの出力に少なくとも部分的に基づいて、ユーザ入力を決定するように動作可能であるユーザ入力決定論理をさらに備えている、請求項１５〜１６のいずれかに記載の注入システム。
【請求項１８】
前記注入システムは、前記注射筒ゾーンに隣接するユーザの指の存在を検出するように動作可能である、請求項１〜１７のいずれかに記載の注入システム。
【請求項１９】
前記注入システムは、前記注射筒ゾーンに隣接するユーザの指の移動を検出するように動作可能である、請求項１〜１８のいずれかに記載の注入システム。
【手続補正２】
【補正対象書類名】明細書
【補正対象項目名】００３５
【補正方法】変更
【補正の内容】
【００３５】
任意の適切な数の注射器が、任意の適切な様式で（例えば、取り外し可能に、正面装填、背面装填、側面装填）任意のそのような自動注入器とともに使用され得、任意の適切な医用流体が、任意のそのような自動注入器の所与の注射器から放出され得（例えば、造影剤、放射性医薬品、生理食塩水、およびそれらの任意の組み合わせ）、任意の適切な流体が、任意の適切な様式で（例えば、連続して、同時に）、複数の注射器自動注入器構成から放出され得、またはそれらの任意の組み合わせであり得る。一実施形態では、自動注入器の動作によって注射器から放出される流体は、導管（例えば、医療管類セット）の中へ向けられ、その場合、この導管は、任意の適切な様式で注射器と流動的に相互接続され、流体を所望の場所に（例えば、注入のために患者に挿入されるカテーテルに）向ける。複数の注射器が、（例えば、単一の注入部位への提供のために）共通導管内に放出し得、または１つの注射器が、（例えば、１つの注入部位への提供のために）１つの導管内に放出し得る一方で、別の注射器は、（例えば、異なる注入部位への提供のために）異なる導管内に放出し得る。一実施形態では、各注射器は、注射筒と、注射筒内に配置され、および注射筒に対して移動可能である、プランジャとを含む。本プランジャは、注射器プランジャ駆動アセンブリが、少なくとも１つの方向、および可能性として、２つの異なる反対方向に、プランジャを前進させることが可能であるように、自動注入器の注射器プランジャ駆動アセンブリと界面接合し得る。
本願明細書は、例えば、以下の項目も提供する。
（項目１）
注入システムであって、
注入デバイスと、
注射筒ゾーンと
を備え、
前記注入デバイスは、注射器の注射筒が前記注射筒ゾーンと同一の広がりをもつように、前記注射器を保持するように動作可能であり、前記注射筒ゾーンは、前記注射器が前記注入デバイスによって保持された場合、前記注射器の注射筒長さと一致する注射筒ゾーン長さを備え、前記注射筒ゾーンは、前記注射器が前記注入デバイスによって保持された場合、前記注射器の注射筒縦軸と一致する注射筒ゾーン縦軸を備え、
前記注入デバイスは、容量流体検出器を備え、前記容量流体検出器の電界は、前記注射筒ゾーン縦軸に沿った少なくとも第１の位置および第２の位置で前記注射筒ゾーンに浸透し、前記第１の位置は、第１の距離によって前記第２の位置から分離され、前記第１の距離は、前記注射筒ゾーン長さの少なくとも半分に等しい、注入システム。
（項目２）
前記容量流体検出器は、第１のコンデンサを備え、前記第１のコンデンサは、第１の細長い電極と、第２の細長い電極とを備え、前記第１のコンデンサの電界は、少なくとも前記第１の位置および前記第２の位置で前記注射筒ゾーンに浸透する、項目１に記載の注入システム。
（項目３）
注入システムであって、
注入デバイスと、
注射筒ゾーンと
を備え、
前記注入デバイスは、注射器の注射筒が前記注射筒ゾーンと同一の広がりをもつように、前記注射器を保持するように動作可能であり、前記注射筒ゾーンは、前記注射器が前記注入デバイスによって保持された場合、前記注射器の注射筒長さと一致する注射筒ゾーン長さを備え、前記注射筒ゾーンは、前記注射器が前記注入デバイスによって保持された場合、前記注射器の注射筒縦軸と一致する注射筒ゾーン縦軸を備え、
前記注入デバイスは、容量流体検出器を備え、前記容量流体検出器は、第１のコンデンサと、第２のコンデンサとを備え、前記第１のコンデンサの電界は、前記注射筒ゾーン縦軸に沿った第１の位置で前記注射筒ゾーンに浸透し、前記第２のコンデンサの電界は、前記注射筒ゾーン縦軸に沿った前記第１の位置で前記注射筒ゾーンに浸透する、注入システム。
（項目４）
注入システムであって、
注入デバイスと、
前記注入デバイスに取り付けられた注射器であって、前記注射器は、注射筒を備え、前記注射筒は、注射筒縦軸に沿って注射筒長さを有する、注射器と、
前記注射筒に沿って配置された容量流体検出器であって、前記容量流体検出器は、複数のコンデンサを備え、前記複数のコンデンサは、前記注射筒長さに沿って連続的に配列され、前記複数のコンデンサの各々は、前記注射筒縦軸に沿った異なる位置に配置されている、容量流体検出器と、
前記注射筒と同一の広がりをもつ注射筒ゾーンであって、前記注射筒ゾーンは、前記注射筒長さと一致する注射筒ゾーン長さを備え、前記注射筒ゾーンは、前記注射筒縦軸と一致する注射筒ゾーン縦軸を備えている、注射筒ゾーンと
を備えている、注入システム。
（項目５）
前記容量流体検出器は、前記注射筒ゾーン長さに沿って連続的に配列された複数のコンデンサを備えている、項目１および３のいずれかに記載の注入システム。
（項目６）
前記注射筒ゾーン長さに沿って連続的に配列された前記複数のコンデンサは、少なくとも８個の個々のコンデンサを備えている、項目４および５のいずれかに記載の注入システム。
（項目７）
前記複数のコンデンサの各々は、一対の電極を備え、各対の電極のうちの各電極は、前記電極に垂直であり、かつそれと交差するベクトルが、いかなる他の電極とも交差しないように配列されている、項目４〜６のいずれかに記載の注入システム。
（項目８）
前記対の電極の各々は、２つの実質的に同一平面上の電極を備えている、項目７に記載の注入システム。
（項目９）
前記複数のコンデンサの各々は、集積回路に相互接続され、前記複数のコンデンサの各々について、前記集積回路は、バイモーダル出力を生じるように動作可能であり、前記バイモーダル出力の第１のモードは、流体の存在に応答し、前記バイモーダル出力の第２のモードは、流体がないことに応答する、項目４〜８のいずれかに記載の注入システム。
（項目１０）
前記複数のコンデンサの各々は、前記コンデンサの電界内の流体の量に応答して変化するアナログ出力を生じるように動作可能である、項目４〜９のいずれかに記載の注入システム。
（項目１１）
前記複数のコンデンサからの出力に少なくとも部分的に基づいて、前記注射筒ゾーン内の流体のレベルを決定するように動作可能である流体レベル決定論理をさらに備えている、項目４〜１０のいずれかに記載の注入システム。
（項目１２）
前記第１の細長い電極に垂直であり、かつそれと交差するベクトルは、前記第２の細長い電極と交差しない、項目２に記載の注入システム。
（項目１３）
前記第１の細長い電極は、前記第２の細長い電極と実質的に同一平面上にある、項目２および１２のいずれかに記載の注入システム。
（項目１４）
前記第１および第２の細長い電極は各々、前記注射筒ゾーン縦軸に平行な方向に細長い、項目２および１２〜１３のいずれかに記載の注入システム。
（項目１５）
前記第１のコンデンサは、前記注射筒ゾーン内の流体の存在に応答してアナログ出力を生じるように動作可能である、項目２および１２〜１４のいずれかに記載の注入システム。
（項目１６）
前記第１のコンデンサの出力に少なくとも部分的に基づいて、前記注射筒ゾーン内の流体のレベルを決定するように動作可能である流体レベル決定論理をさらに備えている、項目２および１２〜１５のいずれかに記載の注入システム。
（項目１７）
前記容量流体検出器からの出力に少なくとも部分的に基づいて、ユーザ入力を決定するように動作可能であるユーザ入力決定論理をさらに備えている、項目１〜１６のいずれかに記載の注入システム。
（項目１８）
容量ユーザ入力検出器をさらに備え、前記容量ユーザ入力検出器の電界は、前記注射筒ゾーンに隣接する第１の領域に浸透する、項目１〜１６のいずれかに記載の注入システム。
（項目１９）
前記容量ユーザ入力検出器の電界は、前記注射筒ゾーンに隣接する第２の領域に浸透し、前記第２の領域は、前記第１の領域から前記注射筒ゾーンの反対側にある、項目１８に記載の注入システム。
（項目２０）
前記容量ユーザ入力検出器からの出力に少なくとも部分的に基づいて、ユーザ入力を決定するように動作可能であるユーザ入力決定論理をさらに備えている、項目１８〜１９のいずれかに記載の注入システム。
（項目２１）
前記注入システムは、前記注射筒ゾーンに隣接するユーザの指の存在を検出するように動作可能である、項目１〜２０のいずれかに記載の注入システム。
（項目２２）
前記注入システムは、前記注射筒ゾーンに隣接するユーザの指の移動を検出するように動作可能である、項目１〜２１のいずれかに記載の注入システム。
（項目２３）
注入システムを動作させる方法であって、前記方法は、
注入デバイス上に注射器を設置することと、
前記注射器のプランジャを前記注入デバイスのラムと接触させることと、
前記設置するステップの後、かつ前記ラムが前記プランジャと接触している間に、前記注入デバイスの前記ラムを移動させることであって、前記移動させるステップは、前記プランジャの対応する移動をもたらす、ことと、
前記移動させるステップの間の複数の時に、前記注射器の注射筒内の流体を容量的に感知することと、
前記複数の時の各々に、前記注射器内の流体の体積を推定することであって、前記推定するステップは、前記容量的に感知するステップに少なくとも部分的に基づく、ことと
を含む、方法。
（項目２４）
前記移動させるステップは、前記プランジャを後退させることを含む、項目２３に記載の方法。
（項目２５）
前記方法は、
前記移動させるステップの間に流体を前記注射器に引き込むことと、
前記複数の時の各々について、前記推定された流体の体積が、前記注射器のノズルと前記プランジャとの間の前記注射器の容積に対応することを検証することと、
前記プランジャを前進させることにより、患者内に流体を注入することと
をさらに含む、項目２３〜２４のいずれかに記載の方法。
（項目２６）
前記ラムは、前記複数の時の各々に特有の場所に配置される、項目２３〜２５のいずれかに記載の方法。
（項目２７）
前記容量的に感知するステップ、および前記推定するステップは、前記移動させるステップの間に連続的に行われる、項目２３〜２６のいずれかに記載の方法。
（項目２８）
注入システムを動作させる方法であって、前記方法は、
注入デバイス上に注射器を設置することと、
第１の容量センサ、第２の容量センサ、および第３の容量センサを用いて、前記設置するステップの後に前記注射器の注射筒内の流体を感知することと、
前記感知するステップの間に取得される前記第１、第２、および第３の容量センサからの出力を比較することに少なくとも部分的に基づいて、誤った測定値を識別することと
を含む、方法。
（項目２９）
前記感知するステップ、および前記識別するステップに基づいて、前記注射器内の流体の全体積を推定することをさらに含む、項目２８に記載の方法。
（項目３０）
注入システムを動作させる方法であって、前記方法は、
注入デバイス上に注射器を設置することと、
複数の容量センサのうちの第１の部分を用いて、前記設置された注射器内の流体の存在を感知することと
を含む、方法。
（項目３１）
複数の容量センサのうちの第２の部分を用いて、前記設置された注射器内の流体の非存在を感知することと、
前記感知するステップのうちの少なくとも１つに基づいて、前記注射器内の流体の全体積を推定することと
をさらに含む、項目３０に記載の方法。
（項目３２）
前記推定するステップは、前記第１の部分における容量センサの数および前記第２の部分における容量センサの数のうちの少なくとも１つに基づいて、前記注射器の充填率を計算することを含む、項目３１に記載の方法。
（項目３３）
前記推定するステップは、参照テーブルにおいて、前記流体の全体積を調べることを含み、前記参照テーブルにおいて、前記流体の全体積は、前記複数の容量センサのうちの前記第１および第２の部分のうちの少なくとも１つに対応する、項目３１に記載の方法。
（項目３４）
前記注射器は、前記設置するステップの間、前記流体の全体積を含み、前記感知するステップのうちの少なくとも１つは、前記注射器から患者に任意の流体を注入する前に行われ、前記方法は、
前記流体の全体積に対応する値を前記注入システムに入力することと、
前記推定するステップからの前記流体の全体積が、前記入力するステップからの前記値に対応することを検証することと
をさらに含む、項目３１〜３３のいずれかに記載の方法。
（項目３５）
前記入力するステップは、
前記流体の全体積に対応する前記値を手動で入力することと、
前記注射器に対応する機械読み取り可能なラベルを走査することと、
前記流体の全体積に対応するＲＦＩＤタグを読み取ることと
のうちの少なくとも１つを含む、項目３４に記載の方法。
（項目３６）
前記方法は、
前記注射器の前記注射筒に非常に近い、ユーザの少なくとも１本の指を容量的に感知することと、
前記注入システムによって、前記注入システムへのユーザ入力として前記容量感知を解釈することと
をさらに含む、項目２３〜３５のいずれかに記載の方法。
（項目３７）
前記容量的に感知するステップは、前記注射筒の対向する側に沿って移動するユーザの２本の指を容量的に感知することを含み、前記解釈するステップは、前記注射筒を一掃する入力コマンドとして前記容量感知を解釈することを含む、項目３６に記載の方法。
（項目３８）
注入システムを動作させる方法であって、前記方法は、
注入デバイス上に注射器を設置することと、
前記注射器に非常に近い、ユーザの指を容量的に感知することと、
前記注入システムによって、前記注入システムへのユーザ入力として前記容量感知を解釈することと
を含む、方法。
（項目３９）
注入システムであって、
注入デバイスと、
注射筒ゾーンであって、前記注入デバイスは、注射器の注射筒が前記注射筒ゾーンと同一の広がりをもつように、前記注射器を保持するように動作可能であり、前記注射筒ゾーンは、前記注射器が前記注入デバイスによって保持された場合、前記注射器の注射筒長さと一致する注射筒ゾーン長さを備え、前記注射筒ゾーンは、前記注射器が前記注入デバイスによって保持された場合、前記注射器の注射筒縦軸と一致する注射筒ゾーン縦軸を備え、前記注入デバイスは、容量流体検出器を備え、前記容量流体検出器の電界は、前記注射筒ゾーンに隣接する第１の領域に浸透する、注射筒ゾーンと、
前記容量検出器からの出力に少なくとも部分的に基づいて、ユーザ入力を決定するように動作可能であるユーザ入力決定論理と
を備えている、注入システム。
（項目４０）
前記容量流体検出器の電界は、前記注射筒ゾーンに隣接する第２の領域に浸透し、前記第２の領域は、前記第１の領域から前記注射筒ゾーンの反対側にある、項目３９に記載の注入システム。
（項目４１）
前記ユーザ入力決定論理は、前記第１の領域内のユーザ入力を前記第２の領域内のユーザ入力と区別するように動作可能である、項目４０に記載の注入システム。
（項目４２）
前記第１および第２の領域は、実質的に前記射筒ゾーン長さ全体に沿って延在する、項目４０〜４１のいずれかに記載の注入システム。
（項目４３）
前記ユーザ入力決定論理は、前記注射筒ゾーン長さに沿って前記第１および第２の領域中で移動するユーザの指を検出するように動作可能である、項目４２に記載の注入システム。